(57)【要約】【課題】扉体の開閉移動を案内するためのガイド体の取り外しを容易に行えるようになる引戸装置を提供すること。【解決手段】上吊り式の扉体の上方に配置され、この扉体の開閉移動を案内するガイド体となっているガイドレール３０は、開き移動した扉体が収納される戸袋３の内部では分割ガイド部材６１によって形成され、この分割ガイド部材６１は、上枠部材１０の内部に配置された取付部材３８に係脱手段７０で係脱可能に取り付けられ、この係脱手段７０は、取付部材３８に形成された係止孔７１と、分割ガイド部材６１に取り付けられた係止部材７２とで形成され、係止部材７２は、係止孔７１に挿入される第１部分７２Ｂと、第１部分７２Ｂの先端から下向きに延びる第２部分７２Ｃとを有する。【選択図】図５
2008133684.tif 000002
【特許請求の範囲】
【請求項１】
ガイド体と、このガイド体が取り付けられた取付部材と、前記ガイド体に案内されて開閉移動自在となっている扉体とを含んで構成される引戸装置において、前記ガイド体が前記取付部材に係脱手段で係脱可能に取り付けられていることを特徴とする引戸装置。
【請求項２】
請求項１に記載の引戸装置において、前記ガイド体は、前記扉体の開閉移動方向に分割された複数の分割ガイド部材の連続的配置によって形成され、これらの分割ガイド部材のうち、少なくとも１個の分割ガイド部材が前記取付部材に係脱手段で係脱可能に取り付けられていることを特徴とする引戸装置。
【請求項３】
請求項２に記載の引戸装置において、前記扉体を収納する戸袋を有し、前記ガイド体は、前記戸袋の内部に配置された戸袋内部配置部分を備えており、前記複数の分割ガイド部材のうち、前記係脱手段で前記取付部材に係脱可能に取り付けられている分割ガイド部材が前記戸袋内部配置部分を形成していることを特徴とする引戸装置。
【請求項４】
請求項３に記載の引戸装置において、前記戸袋内部配置部分を形成している前記分割ガイド部材は、前記戸袋から突出した突出部を備えており、この突出部は前記取付部材に着脱可能な結合手段で結合されていることを特徴とする引戸装置。
【請求項５】
請求項１〜３のいずれかに記載の引戸装置において、前記係脱手段は、前記ガイド体と前記取付部材のうちの一方に形成された係止孔と、他方に設けられ、前記係止孔に挿入係止される係止部材とを含んで形成されていることを特徴とする引戸装置。
【請求項６】
請求項５に記載の引戸装置において、前記係止孔と前記係止部材は、前記ガイド体の長手方向である水平方向又は略水平方向に長い細長形状となっていることを特徴とする引戸装置。
【請求項７】
請求項５又６に記載の引戸装置において、前記係止部材は、前記係止孔に挿入される第１部分と、この第１部分から延び、前記一方における前記他方の側の面とは反対側の面と対面する第２部分とを有し、前記他方と前記第２部分とで前記一方が挟着されることを特徴とする引戸装置。
【請求項８】
請求項７に記載の引戸装置において、前記第２部分は前記第１部分の先端から鉛直方向に延びているとともに、この第２部分の先端部は、前記他方から離れる側へ傾斜した傾斜部となっていることを特徴とする引戸装置。
【請求項９】
請求項７又は８に記載の引戸装置において、前記係止孔は、前記第２部分が挿入可能な大孔部と、この大孔部から前記ガイド体の長手方向である水平方向又は略水平方向にずれた位置において前記他方に前記大孔部と連続して形成され、この大孔部よりも上下寸法が小さい小孔部とを含んで形成され、前記大孔部から前記係止孔に前記第２部分が挿入された前記係止部材が、前記ガイド体の長手方向へのこのガイド体の移動によって前記大孔部の側から前記小孔部の側へ移行可能となっていることを特徴とする引戸装置。
【請求項１０】
請求項１〜９のいずれかに記載の引戸装置において、前記ガイド体を上向きに支持するための支持部材を備えていることを特徴とする引戸装置。
【請求項１１】
請求項１０に記載の引戸装置において、支持部材は、前記取付部材又はこの取付部材に結合された部材に取り付けられており、前記支持部材の上に前記ガイド体の長手方向の端部が載せられていることを特徴とする引戸装置。
【請求項１２】
請求項１０に記載の引戸装置において、前記ガイド体の端部には、このガイド体の長手方向へ延長突出した延長部材が設けられ、この延長部材は、前記取付部材又はこの取付部材に結合された部材に形成されている孔に挿入支持され、この孔が形成されている部材が前記支持部材となっていることを特徴とする引戸装置。
【発明の詳細な説明】
【技術分野】
【０００１】
本発明は、ガイドレール等のガイド体によって扉体の開閉移動が案内される引戸装置に係り、例えば、扉体の上方に配置されたガイド体から扉体が吊り下げられた上吊り式の引戸装置や、扉体の下方に配置されたガイド体によって扉体が案内される引戸装置等に利用できるものである。
【背景技術】
【０００２】
下記の特許文献１には、ガイド体と、このガイド体が取り付けられた取付部材と、ガイド体に案内されて開閉移動自在となっている扉体とを含んで構成される引戸装置が示されており、この引戸装置は、扉体がこの扉体の上方に配置されたガイド体から吊り下げられた上吊り式の引戸装置となっている。また、この引戸装置では、扉体の開閉移動を案内するためにこの開閉移動方向に延びている上記ガイド体は、無目の内部に配置された取付部材に取り付けられており、この取り付けは、ビス等の結合手段で取付部材に結合することによって行われている。
【特許文献１】特開２００２−２９５１３４（図１、図４）
【発明の開示】
【発明が解決しようとする課題】
【０００３】
扉体の円滑な開閉移動を維持するためには、引戸装置について各種の作業を行うことが求められ、この作業のなかには、ガイド体についてのメンテナンス作業や交換作業等も含まれており、上述のように、ガイド体が取付部材にビス等の結合手段で結合されている場合には、ガイド体を取付部材から取り外して行うガイド体についての作業に手間がかかることになる。このため、ガイド体の取り外しを容易に行える工夫が求められる。
【０００４】
本発明の目的は、扉体の開閉移動を案内するためのガイド体の取り外しを容易に行えるようになる引戸装置を提供するところにある。
【課題を解決するための手段】
【０００５】
本発明に係る引戸装置は、ガイド体と、このガイド体が取り付けられた取付部材と、前記ガイド体に案内されて開閉移動自在となっている扉体とを含んで構成される引戸装置において、前記ガイド体が前記取付部材に係脱手段で係脱可能に取り付けられていることを特徴とするものである。
【０００６】
この引戸装置では、ガイド体の取付部材への取り付けは、係脱手段で係脱可能に行われているため、取り付けをビスなどの結合手段によって行う場合と比べて、取付部材からのガイド体の取り外しを容易に行え、また、取付部材へのガイド体の取り付けも容易に行える。このため、ガイド体についてのメンテナンス作業や交換作業等の各種作業を容易かつ短時間で行え、作業効率を向上させることができる。
【０００７】
以上において、本発明に係るガイド体は、ガイドレールでもよく、スライドレール（スライディングレール）でもよい。
【０００８】
また、ガイド体を係脱手段で係脱可能に取り付ける取付部材は、扉体に対して不動となっている引戸装置の枠部材でもよく、この枠部材に結合された付属部材等でもよい。
【０００９】
また、係脱手段の個数は、１個でもよく、複数個でもよい。係脱手段の個数を複数個とする場合には、これらの係脱手段を、扉体の開閉移動方向であるガイド体の長手方向に配置することが好ましい。これによると、ガイド体を取付部材に一層確実に取り付けることができる。
【００１０】
さらに、本発明は、扉体を収納するための戸袋を備えている引戸装置に適用できるとともに、このような戸袋を備えていない引戸装置にも適用できる。
【００１１】
また、本発明に係るガイド体は、扉体の開閉移動方向に連続している１本の部材で形成してもよく、この開閉移動方向に分割された複数の分割ガイド部材の連続的配置によって形成してもよい。
【００１２】
後者の場合には、全部の分割ガイド部材を取付部材に係脱手段で係脱可能に取り付けてもよく、これらの分割ガイド部材のうちの少なくとも１個の分割ガイド部材を取付部材に係脱手段で係脱可能に取り付けてもよい。
【００１３】
全部の分割ガイド部材のうち、少なくとも１個の分割ガイド部材を取付部材に係脱手段で係脱可能に取り付けることは、任意なタイプの引戸装置に適用することができる。その一例は、引戸装置が扉体を収納するための戸袋を有するタイプであって、ガイド体が、この戸袋の内部に配置された戸袋内部配置部分を備えるものになっている場合である。このような引戸装置については、前述した複数の分割ガイド部材のうち、係脱手段で取付部材に係脱可能に取り付けられている分割ガイド部材によって上記戸袋内部配置部分を形成してもよい。
【００１４】
これによると、ガイド体を形成している部分のうち、戸袋内部配置部分についてのメンテナンス作業や交換作業等を行うために、この戸袋内部配置部分を取付部材から取り外すことが必要となった場合には、この戸袋内部配置部分は、係脱手段で取付部材に係脱可能に取り付けられている分割ガイド部材によって形成されているため、戸袋を破壊等することなく、この分割ガイド部材を取付部材から容易に取り外すことができ、また、所定の作業の終了後に、分割ガイド部材を取付部材に容易に取り付けることもでき、作業の容易化と迅速化を図ることができる。
【００１５】
なお、上記戸袋は、外部に露出した戸袋、言い換えると、外部から視認できる戸袋でもよく、壁の内部に収納された壁収納式の戸袋でもよい。また、上記戸袋は、この戸袋に収納された前記扉体の一方の片面だけを隠し、他方の片面を外部に露出させる片面式の戸袋でもよい。
【００１６】
また、前述のように、ガイド体のうちの戸袋内部配置部分を、係脱手段で取付部材に係脱可能に取り付けられている分割ガイド部材によって形成する場合であって、この分割ガイド部材が戸袋から突出した突出部を備えている場合には、この突出部を取付部材にビス等の着脱可能な結合手段で結合することが好ましい。
【００１７】
これによると、上記分割ガイド部材が取付部材に係脱手段で係脱可能に取り付けられていても、この分割ガイド部材の一部はビス等の結合手段でも取付部材に結合されているため、取付部材に対する分割ガイド部材の取付強度をこの結合手段によって大きくできるとともに、この結合手段による結合は、分割ガイド部材のうち、戸袋から突出している突出部において行われるため、結合手段による結合を解除して行う分割ガイド部材の取付部材からの取り外し作業を、戸袋に影響されることなく容易に行え、また、結合手段の結合によって行う分割ガイド部材の取付部材への取り付け作業も、戸袋に影響されることなく容易に行える。
【００１８】
本発明において、ガイド体を取付部材に係脱可能に取り付けるための係脱手段は、任意な形式のものでよく、例えば、フック方式（引っ掛け方式）のものでもよく、係り止め方式（係止方式）のものでもよく、係合方式のものでもよく、嵌合方式のものでよく、挟着方式のものでもよく、これらのうちの少なくとも２つが複合されたもの等でもよい。
【００１９】
そして、一層具体的な構造で説明すると、上記係脱手段を、ガイド体と取付部材のうちの一方に形成された係止孔と、他方に設けられ、この係止孔に挿入係止される係止部材とを含んで形成されたものとすることができる。
【００２０】
なお、係止孔を取付部材に形成し、係止部材をガイド体に設けてもよく、係止孔をガイド体に形成し、係止部材を取付部材に設けてもよい。
【００２１】
また、係止部材の形状及び構造は任意であり、この係止部材を、例えば、ピン状のものとしてもよく、板状のものとしてもよく、ブロック状のもの等としてもよい。
【００２２】
また、係脱手段を、係止孔と係止部材とを含んで形成されたものとする場合には、これらの係止孔と係止部材とを、ガイド体の長手方向である水平方向又は略水平方向に長い細長形状としてもよい。
【００２３】
これによると、係脱手段の水平方向又は略水平方向の面積は大きくなるため、ガイド体の重量と、このガイド体を介して作用する扉体の重量とを、この大きな面積によって有効に受けることができるようになる。
【００２４】
また、係止部材を、係止孔に挿入される第１部分と、この第１部分から延び、前記一方における前記他方の側の面とは反対側の面と対面する第２部分とを有するものとし、上記他方と上記第２部分とで上記一方を挟着するようにしてもよい。
【００２５】
これによると、ガイド体の取付部材への係脱可能な取り付けは、上記一方が、上記他方と係止部材の上記第２部分とで挟着されることによって行われるため、この取り付けは一層確実なものとなる。
【００２６】
また、前記第２部分を前記第１部分の先端から鉛直方向に延びているものとする場合には、この第２部分の先端部を、前記他方から離れる側へ傾斜した傾斜部とすることが好ましい。
【００２７】
これによると、係止部材の前記第１部分を係止孔に挿入して係止部材を係止孔に係止する際に、第２部分の先端部が係止孔の縁部に当接しても、この先端部は前記他方から離れる側へ傾斜した傾斜部となっているため、この傾斜部の案内作用により、第２部分の先端部が係止孔の縁部に引っ掛かることなく、第２部分を、前記一方における前記他方の側の面とは反対側の面と対面する位置まで一層確実に到達させることができ、これにより、係止部材を係止孔に係止させることができる。
【００２８】
このように第１部分の先端から鉛直方向に延びている第２部分の先端部を、前記他方から離れる側へ傾斜した傾斜部とすることは、係止部材が前記ガイド体に設けられていて、係止孔が前記取付部材に形成されている場合と、係止部材が前記取付部材に設けられていて、係止孔が前記ガイド体に形成されている場合との両方において適用することができる。そして、係止部材がガイド体に設けられていて、係止孔が取付部材に形成されている場合には、第２部分は、第１部分の先端から下向きに延びることになり、係止部材が取付部材に設けられていて、係止孔がガイド体に形成されている場合には、第２部分は、第１部分の先端から上向きに延びることになる。
【００２９】
また、係止孔を、第２部分が挿入可能な大孔部と、この大孔部からガイド体の長手方向となっている水平方向又は略水平方向にずれた位置において前記他方に大孔部と連続して形成され、この大孔部よりも上下寸法が小さい小孔部とを含んで形成されたものとし、大孔部から係止孔に第２部分が挿入された係止部材が、ガイド体の長手方向へのこのガイド体の移動によって大孔部の側から小孔部の側へ移行可能とすることが好ましい。
【００３０】
これによると、大孔部から係止孔に第２部分が挿入された係止部材は、ガイド体の長手方向へのこのガイド体の移動によって大孔部の側から小孔部の側へ移行することになり、小孔部の上下寸法は第２部分の寸法よりも小さいため、上記移行後は、第２部分が係止孔から抜け出すことを防止でき、これにより、係止部材を係止孔に一層確実に係止させることができる。
【００３１】
また、本発明に係る引戸装置には、取付部材に係脱手段で係脱可能に取り付けられたガイド体を上向きに支持するための支持部材を設けてもよい。
【００３２】
これによると、ガイド体の重量と、このガイド体を介して作用する扉体の重量とを、係脱手段と支持部材とによって支持できるようになり、ガイド体の支持を一層有効に行える。
【００３３】
このように、ガイド体の重量と、このガイド体を介して作用する扉体の重量とを、係脱手段と共に支持するために支持部材は、任意な形状、構造のものでよい。その一例は、支持部材を、前記取付部材又はこの取付部材に結合された部材に取り付けられた部材とし、この支持部材の上にガイド体の長手方向の端部を載せるようにすることである。
【００３４】
また、他の例は、ガイド体の端部に、このガイド体の長手方向へ延長突出した延長部材を設け、この延長部材を、前記取付部材又はこの取付部材に結合された部材に形成されている孔に挿入支持させ、この孔が形成されている部材を上記支持部材とすることである。
【００３５】
以上説明した本発明は、扉体の開き移動と閉じ移動のうちの少なくとも一方が自動閉鎖装置によって行われる引戸装置と、扉体の開き移動と閉じ移動の両方が手動操作で行われる引戸装置とに適用することができる。自動閉鎖装置を備えている引戸装置には、扉体が全閉に近い位置まで閉じ移動した後にこの閉じ移動速度を減速させるためのブレーキ装置を設けてもよい。
【００３６】
さらに、本発明は、扉体の個数が１個となっている引戸装置と、扉体の個数が複数個となっている引戸装置とに適用することができる。
【００３７】
本発明を扉体の個数が複数個となっている引戸装置に適用する場合には、係脱手段によって取付部材に係脱可能に取り付けるガイド体は、全部の扉体のうちの１個の扉体のためのガイド体でもよく、全部の扉体のうちの複数個の扉体のための複数のガイド体でもよく、全部の扉体のための全部のガイド体でもよい。
【００３８】
また、本発明を扉体の個数が複数個となっている引戸装置に適用する場合には、これらの扉体の配置位置は、これらの扉体の厚さ方向にずれていてもよく、これらの扉体の厚さ方向にずれていなくてもよい。さらに、これらの扉体の開閉移動方向は、同じ方向でもよく、反対方向でもよい。そして、上記複数個の扉体の開閉移動方向を同じ方向とする場合には、これらの扉体を、外側扉体と、この外側扉体の内部に入れ子式に収納される内側扉体としてもよい。
【００３９】
また、扉体の個数が複数個の場合であって、任意の扉体に他の扉体の開閉移動を案内するためのガイド体を取り付ける場合には、前述した「取付部材」を、上記任意の扉体としてもよい。
【００４０】
また、ガイド体で案内される扉体の開閉移動形態は任意である。すなわち、扉体を案内するガイド体は、扉体を直線的に案内するものでもよく、曲線的に案内するものでもよく、さらに、例えば、扉体を建物躯体等に近づけながら全閉とさせるために、ガイド体は、扉体を扉体の厚さ方向に略平行移動させながら扉体の幅方向（扉体の開閉移動方向）に移動させるものでもよい。
【００４１】
また、本発明は、ガイド体と扉体とが各種の位置関係となっている引戸装置に適用することができる。その一例は、扉体の上方に配置されたガイド体から扉体が吊り下げられた上吊り式引戸装置であり、他の例は、扉体の下方に配設されたガイドレール等のガイド体に案内されて扉体が移動する引戸装置であり、さらに他の例は、扉体の下方と上方の両方に配設されたガイドレール等のガイド体に案内されて扉体が移動する引戸装置等である。
【発明の効果】
【００４２】
本発明によると、扉体の開閉移動を案内するためのガイド体は取付部材に係脱手段で係脱可能に取り付けられているため、ガイド体の取り外しを容易に行えるという効果を得られる。
【発明を実施するための最良の形態】
【００４３】
以下に本発明を実施するための形態を図面に基づいて説明する。本実施形態に係る引戸装置は、１個の扉体が、この扉体の上方に配置されたガイド体となっているガイドレールから吊り下げられ、かつこのガイドレールに案内されて開閉移動を行う上吊り式の引戸装置であり、また、この引戸装置は、扉体を収納する戸袋を有するものであって、この戸袋は、壁の内部に収納された壁収納式の戸袋である。
【００４４】
図１は、例えば、建物内における廊下と部屋との間に配置され、扉体１で開閉される空間が出入口２となっているこの上吊り式の引戸装置の全体を示す正面図である。この引戸装置の外枠組みは、上枠部材１０と、扉体１が全閉位置に達して出入口２を閉じたときにこの扉体１の先端が当接する戸先側の竪枠部材１１と、この戸先側の竪枠部材１１とは扉体１の移動方向反対側に配置されている戸尻側の竪枠部材１２と、これらの竪枠部材１１と１２の間に配置されているとともに、出入口２を開けたときの扉体１が収納される戸袋３における出入口２の側の端部に配置された竪額縁部材１３と、床４における戸袋３の下端に配置された幅木１４とを含んで形成されている。
【００４５】
出入口２は、これらの枠部材１０〜１４で形成された外枠組みの内側の一部の空間となっており、この出入口２は扉体１で開閉され、この出入口２を開けたときの扉体１が収納される戸袋３は、壁５の内部に収納された壁収納式の戸袋である。上枠部材１０は、戸先側の竪枠部材１１から戸尻側の竪枠部材１２まで延びているため、この上枠部材１０は出入口２と戸袋３に跨る長さを有し、竪額縁部材１３は、戸袋３における出入口２側の見切り部材となっている。
【００４６】
戸袋３は、上枠部材１０と幅木１４の長手方向（図１では左右方向であって、扉体１の開閉移動方向）に連続している補強部材２０によって補強された構造となっており、この補強部材２０は、竪枠部材１１，１２と竪額縁部材１３の長手方向でもある上下方向に複数個配設されている。そして、これらの補強部材２０の上下において、上枠部材１０と幅木１４の長手方向に細長い形状となっている内側壁材が接着テープ等による結合具で補強部材２０に結合され、これらの内側壁材の外側に大面積を有する外側壁材が配置され、補強部材２０にビスやステープル等の結合具で結合されているこの外側壁材の表面に、クロス等の壁仕上げ材が取り付けられている。このため、これらの内側壁材と外側壁材と壁仕上げ材により、戸袋３の部分の壁５が形成され、戸袋３は、補強部材２０が構造材となって壁５の内部に形成されている。
【００４７】
上枠部材１０の全長のうち、出入口２と対応する部分は、点検カバー２３で開閉可能に塞がれる開口部１０Ａとなっている。この点検カバー２３は、図１のＳ４−Ｓ４線断面図である図４に示されているように、上端に斜め下向きに形成され、上枠部材１０の上面１０Ｂの端部の傾斜延出部１０Ｃに係止される係止部２３Ａと、この係止部２３Ａから鉛直又は略鉛直下向きに延びている正面部２３Ｂと、この正面部２３Ｂの下端から上枠部材１０の内側へ水平又は略水平に屈曲している下面部２３Ｃとを有する。上枠部材１０の開口部１０Ａを塞いでいるときの点検カバー２３は、係止部２３Ａが上枠部材１０の傾斜延出部１０Ｃに係止され、これにより点検カバー２３の重量が上枠部材１０で支持され、また、図１から分かるように、下面部２３Ｃが、戸先側の竪枠部材１１と竪額縁部材１３に取り付けられているブラケット２４，２５にねじ部材２６，２７で止められている。
【００４８】
点検カバー２３を取り外して上枠部材１０の開口部１０Ａを開けるときには、ねじ部材２６，２７を取り外し、これにより、点検カバー２３は、上端の係止部２３Ａを中心に上枠部材１０の内外方向に揺動可能となるため、上枠部材１０の外側方向へ揺動させることにより、係止部２３Ａを上枠部材１０の傾斜延出部１０Ｃから抜き取る。これにより、点検カバー２３が取り外されて上枠部材１０の開口部１０Ａが開けられることになり、また、以上とは逆の作業を行うことにより、開口部１０Ａを点検カバー２３で塞ぐことができる。
【００４９】
上枠部材１０の内部には、扉体１を開閉移動させるための扉体移動機構が収納配置されており、図２は、点検カバー２３を取り外し、かつ戸袋３と壁５を除外して示した扉体移動機構の全体正面図であり、図３は、この扉体移動機構の要部拡大正面図である。
【００５０】
次に、この扉体移動機構について説明する。
【００５１】
図２に示されているように、上枠部材１０の内部には、この上枠部材１０の略全長に渡る長さとなったガイドレール３０が、扉体１の上方において配置され、扉体１の直線の開閉移動を案内するための本実施形態のガイド体となっているこのガイドレール３０は、図４に示されているように、上下に延びる基端部３０Ａと、この基端部３０Ａの下端から扉体１の厚さ方向へ水平又は略水平に延びるアーム部３０Ｂとを有する略Ｌ字形状であり、基端部３０Ａは、上枠部材１０の内部に配置されている取付部材３８に着脱可能なビス等の結合具３１で結合されている。扉体１の上部には、アーム部３０Ｂの先端に上向きに形成されたローラ載置部３０Ｃの上に転動自在に載っているローラ３２がブラケット３３を介して取り付けられ、これらのローラ３２とブラケット３３は、図３で示されているとおり、上枠部材１０の長手方向である扉体１の開閉移動方向に２個設けられている。このため、扉体１は、この扉体１の上方に配置されたガイドレール３０にローラ３２が載っていてガイドレール３０から吊り下げられた上吊り式の扉体になっている。
【００５２】
また、図３で示されているように、上枠部材１０の内部空間には、扉体１を自動的に閉じ移動させるための渦巻きばね式の自動閉鎖装置３４が配置され、この自動閉鎖装置３４は、上枠部材１０における戸先側の竪枠部材１１に近い端部の近傍において、上枠部材１０の内面やガイドレール３０の上記基端部３０Ａにビス等の結合具で結合されている。自動閉鎖装置３４からは、この自動閉鎖装置３４の内部に設けられている渦巻きばね機構に一端が連結された合成樹脂製等の紐状部材３５が導出され、この紐状部材３５の他端は、上記２個のローラ３２のうち、戸先側のローラ３２Ａを回転自在に支持しているブラケット３３Ａに連結されている。扉体１の戸先側の端部が戸先側の竪枠部材１１に当接していて扉体１が前記出入口２を全閉としているときに、図１で示す把持部３６を握った手によって扉体１をガイドレール３０に沿って開き移動させると、自動閉鎖装置３４から繰り出される紐状部材３５により、上記渦巻きばね機構の渦巻きばねにばね力が蓄圧され、把持部３６から手を離すと、この蓄圧されたばね力によって扉体１が自動的に全閉位置まで閉じ移動する。このため、本実施形態に係る引戸装置は、自動閉鎖式の引戸装置である。
【００５３】
図１で示されているように、扉体１が開閉移動する移動経路における前記竪額縁部材１３の配置位置と対応する位置、言い換えると、前述した幅木１４における戸先側の竪枠部材１１の側の端部には、ガイドローラ３９が配置されている。このガイドローラ３９は前記床４に立設された軸に水平又は略水平に回転自在に配置されているとともに、下方に向かって開口している扉体１の下端部の内部に回転自在に挿入されており、これにより、扉体１のガイドレール３０で案内される開閉移動は、扉体１の下端部がガイドローラ３９で案内されながら行われる。
【００５４】
また、図３で示されているように、扉体１の上部にはロータリー式ブレーキ装置４０が配置され、このブレーキ装置４０は、上記２個のローラ３２のうち、戸先側のローラ３２Ａを回転自在に支持しているブラケット３３Ａに取り付けられている。すなわち、本実施形態では、このブラケット３３Ａは、扉体１にローラ３２Ａとブレーキ装置４０の両方を取り付けるための部材となっており、部材の兼用化が図られている。
【００５５】
ロータリー式ブレーキ装置４０は、図４で示されているとおり、ラック部材５０に噛合するピニオンギア４１を有し、このピニオンギア４１の回転中心軸４２は扉体１の厚さ方向に延びているとともに、この回転中心軸４２の軸方向は水平又は略水平方向となっており、この回転中心軸４２と、上記ローラ３２の回転中心軸３７とは、平行又は略平行となっている。
【００５６】
ラック部材５０は、上枠部材１０の内部の前記取付部材３８に取り付けられた保持部材５１で保持されている。この保持部材５１は、取付部材３８に着脱可能なビス等の結合具５２で結合されていて上下方向に延びている基端部５１Ａと、この基端部５１Ａの上端から扉体１の厚さ方向へ水平又は略水平に延びているアーム部５１Ｂと、このアーム部５１Ｂの先端部の下面に設けられ、ラック部材５０のベース部５０Ａを溝５３の内部で保持する保持部５１Ｃとを有する。このため、ラック部材５０は、保持部材５１の保持部５１Ｃにおいて、ピニオンギア４１が噛合する歯部５０Ｂが下側となって下向きに保持され、扉体１に上記ブラケット３３Ａを介して取り付けられているロータリー式ブレーキ装置４０のピニオンギア４１の上端が、ラック部材５０のこの歯部５０Ｂに噛合している。
【００５７】
ラック部材５０と保持部材５１は扉体１の開閉移動方向への長さを有しているとともに、これらのラック部材５０と保持部材５１は、図２及び図３で示されているように、ガイドレール３０の全長に渡る長さとなっておらず、ラック部材５０と保持部材５１の戸先側の端部の位置は、扉体１の戸先側の端部が戸先側の竪枠部材１１に当接したときに、言い換えると、扉体１が全閉位置に達したときに、ピニオンギア４１が到達している位置と同じ位置又はこれよりも少し戸先側の位置となっている。また、ラック部材５０と保持部材５１の戸尻側の端部の位置は、扉体１の戸先側の端部と戸先側の竪枠部材１１との間に人の肩幅と同じ程度の間隔が開いている位置まで扉体１が達しているときに、この扉体１におけるピニオンギア４１と同じ位置又は略同じ位置となっている。
【００５８】
図４で示されているロータリー式ブレーキ装置４０の本体４０Ａの内部には、シリコンオイル等の粘性流体が充填され、この粘性流体の内部には、ピニオンギア４１に前記回転中心軸４２を介して結合されたブレードが収納され、ピニオンギア４１が回転すると、このブレードも回転中心軸４２を介して回転する。
【００５９】
このため、扉体１が、前述した自動閉鎖装置３４の渦巻きばね機構の渦巻きばねに蓄圧されたばね力による自動閉鎖力によって全開位置側から全閉位置側へ閉じ移動し、この閉じ移動の途中において、ピニオンギア４１がラック部材５０に噛合し始めたときには、このときからピニオンギア４１がラック部材５０によって回転することにより、扉体１には、ロータリー式ブレーキ装置４０の上記粘性流体がブレードで撹拌されることで生ずる粘性力による制動力が発生し、これにより、扉体１はロータリー式ブレーキ装置４０で制動されて減速しながら全閉位置に達する。
【００６０】
また、前述したように、図１で示した把持部３６を握った手によって扉体１を開き移動させる場合にも、ラック部材５０と噛合しているピニオンギア４１は回転するが、このピニオンギア４１と、ピニオンギア４１の前記回転中心軸４２との間には一方向クラッチが介設されており、扉体１が全開位置へ向かって移動しているときのピニオンギア４１の回転については、この一方向クラッチの接続は断絶されるため、扉体１の開き移動を、ロータリー式ブレーキ装置４０による制動力を発生させずに小さな力で軽く行うことができる。
【００６１】
なお、扉体１を減速させながら全閉位置に到達させるためのブレーキ装置は、上記ロータリー式のものに限らず任意な形式のものを採用でき、例えば、シリンダ式のものでもよい。
【００６２】
図２及び図３で示されているように、扉体１の開閉移動方向が長手方向となって水平又は略水平に延びているガイドレール３０は、前記出入口２側の分割ガイド部材６０と、前記戸袋３側の分割ガイド部材６１とからなる。すなわち、ガイドレール３０は、扉体１の開閉移動方向に分割された２個の分割ガイド部材６０，６１を連続的に配置することによって形成されており、戸袋３の内部に配置されている分割ガイド部材６１は、ガイドレール３０のうちの戸袋内部配置部分を形成している。
【００６３】
図５は、戸袋３の側の分割ガイド部材６１を示す図１のＳ５−Ｓ５線断面図である。図４におけるガイドレール３０についての前述の説明は、出入口２側の分割ガイド部材６０についての説明であったが、図５の戸袋３側の分割ガイド部材６１も、出入口２側の分割ガイド部材６０と同じく、上下に延びる基端部３０Ａと、この基端部３０Ａの下端から扉体１の厚さ方向へ水平又は略水平に延びるアーム部３０Ｂとを有する略Ｌ字形状であり、アーム部３０Ｂの先端には上向きのローラ載置部３０Ｃが形成され、このローラ載置部３０Ｃに、扉体１の前記２個のローラ３２が転動自在に載るようになっている。
【００６４】
また、戸袋３側の分割ガイド部材６１の基端部３０Ａの上部には、ビスポケット状の空間部３０Ｄが形成された取付部３０Ｅが設けられている。この分割ガイド部材６１はアルミ合金の押し出し成形品又は引き抜き成形品で形成されており、戸袋３側の分割ガイド部材６１と比較して取付部３０Ｅが存在しない出入口２側の分割ガイド部材６０は、取付部３０Ｅを切除したこの押し出し成形品又は引き抜き成形品によって形成されており、そして、切除された取付部３０Ｅに相当する位置に、前記ラック部材５０を保持した保持部材５１が配置されている。
【００６５】
出入口２側の分割ガイド部材６０は、図４で説明したように、ビス等の結合具３１で前記取付部材３８に取り付けられているが、戸袋３側の分割ガイド部材６１は、図２で示されているように、係脱手段７０で取付部材３８に係脱可能に取り付けられている（図５も参照）。また、この係脱手段７０は、扉体１の開閉移動方向であるガイドレール３０の長手方向に複数個、本実施形態では２個設けられている（図２を参照）。それぞれ係脱手段７０の形状及び構造は同じであり、図６は、これらの係脱手段７０のうちの戸尻側の係脱手段７０を示す正面図であり、図７は、図６のＳ７−Ｓ７線断面図である。
【００６６】
図６及び図７で示されているとおり、係脱手段７０は、取付部材３８に形成された係止孔７１と、分割ガイド部材６１に設けられ、係止孔７１に挿入係止される係止部材７２とからなる。これらの係止孔７１と係止部材７２は、ガイドレール３０の長手方向である水平方向又は略水平方向に長い細長形状となっている。
【００６７】
また、図５に示されているように、板材の折り曲げ品である係止部材７２は、分割ガイド部材６１の前記取付部３０Ｅに、前記空間部３０Ｄ内に配置された板ナット７３に螺入されるビス等の結合具７４によって取り付けられたベース部分７２Ａと、このベース部分７２Ａの上端から扉体１の厚さ方向へ延出し、係止孔７１に挿入される第１部分７２Ｂと、この第１部分７２Ｂの先端から下向きに延びる第２部分７２Ｃとを有し、第１部分７２Ｂが係止孔７１に挿入されることにより、第２部分７２Ｃは、取付部材３８における分割ガイド部材６１の側の面とは反対側の面（すなわち、取付部材３８における分割ガイド部材６１の側の面を表面とした場合には、取付部材３８における裏面）と対面し、この第２部分７２Ｃと、分割ガイド部材６１の取付部３０Ｅの背面とにより、取付部材３８を挟着するようになっている。
【００６８】
また、図５で示されているとおり、第２部分７２Ｃの先端部は、分割ガイド部材６１から離れる方向へ傾斜した傾斜部７２Ｄとなっている。
【００６９】
さらに、図３で示されているように、分割ガイド部材６１における戸先側の端部は、前記戸袋３の戸先側の見切り部材となっている前記竪額縁１３から前記出入口２側へ突出した突出部６１Ａとなっており、この突出部６１Ａは、着脱可能は結合手段であるビス等の結合具７５により、取付部材３８に結合されている。
【００７０】
また、図６及び図７でも示されているとおり、戸尻側の竪枠部材１２には、上枠部材１０の内部において、エンド部材７６が取り付けられており、このエンド部材７６は、分割ガイド部材６１の戸尻側の端面を当接させることにより、ガイドレール３０の長手方向におけるこの分割ガイド部材６１の位置出しを行うためのものである。また、このエンド部材７６には、分割ガイド部材６１の戸尻側の端部を載せることによってこの端部を上向きに支持するための支持部材７７が結合されている。この支持部材７７は、図５で示されているように、分割ガイド部材６１の前記アーム部３０Ｂを取付部材３８と共に挟着するフランジ部７７Ａを備えている。
【００７１】
以上説明したように本実施形態に係るガイドレール３０は、出入口２側の分割ガイド部材６０と、戸袋３側の分割ガイド部材６１とからなり、これらの分割ガイド部材６０と６１のうち、分割ガイド部材６１が先に取付部材３８に取り付けられる。図６及び図７で示されているように、ガイドレール３０の長手方向における係止孔７１の長さをガイドレール３０の長手方向における係止部材７２の長さよりも大きくしておくことにより、分割ガイド部材６１に結合具７４及び板ナット７３で結合された係止部材７２を係止孔７１に挿入した後、この分割ガイド部材６１をエンド部材７６に当接するまでガイドレール３０の長手方向にスライドさせることによって、分割ガイド部材６１を自ずとガイドレール３０の長手方向の所定位置に配置することができる。
【００７２】
また、係止部材７２を係止孔７１に挿入したとき、前述したように、係止部材７２の第２部分７２Ｃと、分割ガイド部材６１の取付部３０Ｅの背面とにより、取付部材３８が挟着されるが、この挟着が、第２部分７２Ｃが取付部材３８の厚さ方向外側へ弾性的に開き変形することによって行われるようにしておくことにより、係止部材７２の前述した傾斜部７２Ｄの案内作用と併せ、取付部材３８の厚さに誤差があっても、また、各種の施工現場に配置された上枠部材１０に厚さが異なる取付部材３８が用いられていても、これらに有効に対処できるようになる。
【００７３】
ガイドレール３０のうち、戸袋内部配置部分を形成している分割ガイド部材６１についてのメンテナンス作業や交換作業等を行うために、この分割ガイド部材６１を取付部材３８から取り外すときには、先ず、ガイドレール３０が内部に収納されている上枠部材１０の前記開口部１０Ａを塞いでいる点検カバー２３を取り外し、次いで、出入口２側の分割ガイド部材６０を取付部材３８から取り外した後、分割ガイド部材６１のうち、戸袋３から開口部１０Ａに突出している突出部６１Ａを取付部材３８に結合している結合具７５の取り外しを行う。この後、分割ガイド部材６１の全体を持ち上げながらこの分割ガイド部材６１を取付部材３８から離す方向へ移動させ、これにより、分割ガイド部材６１の戸尻側の端部を支持部材７７から離すとともに、係止部材７２を係止孔７１から抜き取る。
【００７４】
これにより、分割ガイド部材６１を取付部材３８から取り外して上枠部材１０の外部へ取り出すことができ、分割ガイド部材６１についての所定の作業を、戸袋３の内部ではなく、言い換えると、戸袋３の影響を受けることなく行うことができる。
【００７５】
そして、結合具７５を取り外すと、分割ガイド部材６１は取付部材３８に係脱手段７０で係脱可能に取り付けられているため、この分割ガイド部材６１の取付部材３８からの取り外し作業を容易に行え、この取り外し作業を効率的に行うことができる。
【００７６】
また、結合具７５は、分割ガイド部材６１のうち、戸袋３から開口部１０Ａに突出している突出部６１Ａを取付部材３８に結合するためのものになっているため、点検カバー２３を上枠部材１０から取り外すことにより、この結合具７５は露出することになり、したがって、分割ガイド部材６１を取付部材３８から取り外すために結合具７５を取付部材３８から取り外す作業は、戸袋３の外部で行えることになり、この作業も、戸袋３の影響を受けることなく容易に行うことができる。
【００７７】
なお、ガイドレール３０のうち、出入口２側の前記分割ガイド部材６０を取付部材３８から取り外すときには、点検カバー２３を上枠部材１０から取り外すことにより、この分割ガイド部材６０の全体と、この分割ガイド部材６０を取付部材３８に結合している前記結合具３１は、外部に露出するため、結合具３１の取り外しによって取付部材３８からの分割ガイド部材６０の取り外しを行える。
【００７８】
また、戸袋３側の分割ガイド部材６１についての所定の作業が終了した後、分割ガイド部材６１の上述した取付部材３８からの取り外し作業とは逆の作業を行うことにより、この分割ガイド部材６１を取付部材３８に容易に取り付けことができる。
【００７９】
また、この取り付け作業を行うとき、図５で示されている係止部材７２の第２部分７２Ｃと第１部分７２Ｂとを係止孔７１に挿入してから、分割ガイド部材６１を下降させる作業が行われるが、この下降作業時に、第２部分７２Ｃの下端部である第２部分７２Ｃの先端部が係止孔７１の下縁部に当接しても、この先端部は分割ガイド部材６１から離れる側へ傾斜した傾斜部７２Ｄとなっているため、この傾斜部７２Ｄの案内作用により、第２部分７２Ｃの先端部が係止孔７１の下縁部に引っ掛かることなく、係止部材７２を係止孔７１に係止させる作業を行うことができる。
【００８０】
そして、この係止作業後には、分割ガイド部材６１は取付部材３８に係脱手段７０で取り付けられており、係脱手段７０は、水平方向又は略水平方向に長い細長形状となっている係止孔７１と係止部材７２によって形成され、したがって、係脱手段７０の水平方向又は略水平方向の面積は大きいため、分割ガイド部材６１の重量と、この分割ガイド部材６１を介して作用する扉体１の重量とを、この大きな面積によって有効に受けることができる。
【００８１】
また、分割ガイド部材６１の突出部６１Ａは取付部材３８に結合具７５で結合されているため、この結合具７５により、取付部材３８に対する分割ガイド部材６１の取付強度を大きくすることができる。
【００８２】
さらに、分割ガイド部材６１の戸尻側の端部は支持部材７７の上に載せられているため、この支持部材７７によっても、分割ガイド部材６１の重量と、この分割ガイド部材６１を介して作用する扉体１の重量とを有効に受けることができるようになる。
【００８３】
図８は、取付部材３８に形成されている別実施形態の係止孔８１を示し、図９は、図８のＳ９−Ｓ９線断面図である。この実施形態の係止孔８１は、前記実施形態の係止孔７１に相当する大孔部８１Ａと、この大孔部８１Ａから分割ガイド部材６１の長手方向である水平方向又は略水平方向にずれて取付部材３８に形成され、大孔部８１Ａと連続している小孔部８１Ｂとからなる。大孔部８１Ａの下辺と、大孔部８１Ａよりも戸尻側に形成された小孔部８１Ｂの下辺とは、同じ高さ位置となっており、大孔部８１Ａの上下寸法は、係止部材７２の傾斜部７２Ｄを含む第２部分７２Ｃの上下寸法よりも大きく、このため、大孔部８１Ａに傾斜部７２Ｄを含む第２部分７２Ｃを挿入可能であり、小孔部８１Ｂの上下寸法は、係止部材７２の傾斜部７２Ｄを含む第２部分７２Ｃの上下寸法よりも小さい。また、この小孔部８１Ｂの上下寸法は、係止部材７２の第１部分７２Ｂの上下寸法よりも小さい。言い換えると、小孔部８１Ｂの上下寸法は、板材の折り曲げ品である係止部材７２の材料となっているこの板材の厚さ寸法よりも少し大きい。
【００８４】
このため、この実施形態では、係止部材７２の第２部分７２Ｃと第１部分７２Ｂとを大孔部８１Ａに挿入した後、分割ガイド部材６１の長手方向のうちの戸尻側へこの分割ガイド部材６１を移動させると、係止部材７２は大孔部８１Ａの側から小孔部８１Ｂの側へ移行することになる。大孔部８１Ａの上下寸法よりも小孔部８１Ｂの上下寸法は小さく、小孔部８１Ｂの上下寸法は、係止部材７２の傾斜部７２Ｄを含む第２部分７２Ｃの上下寸法よりも小さいため、上記移行により、係止部材７２が係止孔７１から抜け出すことを防止することができる。
【００８５】
また、この実施形態でも、戸尻側の竪枠部材１２に取り付けられたエンド部材７６には、分割ガイド部材６１の戸尻側の端部を載せることによってこの端部を上向きに支持するための支持部材８７が結合されている。前記実施形態の支持部材７７と異なりブロック状となっているこの支持部材８７の戸先側の上端部は、切除加工によって戸尻側へ上向き傾斜したテーパ部８７Ａとなっている。
【００８６】
このため、分割ガイド部材６１の長手方向のうちの戸尻側へこの分割ガイド部材６１を移動させることにより、係止部材７２を大孔部８１Ａの側から小孔部８１Ｂの側へ移行させる際に、分割ガイド部材６１の戸尻側の端面が支持部材８７の戸先側の端面に当接しても、上記テーパ部８７Ａの案内作用により、分割ガイド部材６１を支持部材８７の上面に一層確実に乗り上げさせることができる。
【００８７】
図１０〜図１３は、分割ガイド部材６１の戸尻側の端部を上向きに支持するための支持部材についての別実施形態を示す。これらの図のうち、図１０には扉体１と全開側の戸当り手段９０とが示され、図１１は、これらの扉体１と戸当り手段９０を取り除いた図であり、図１２は、図１１のＳ１２−Ｓ１２線断面図であり、図１３は、図１１のＳ１３−Ｓ１３線断面図である。また、この実施形態における係脱手段７０は、図８及び図９で説明した係止孔８１によるものとなっている。
【００８８】
図１０で示されている全開側の戸当り手段９０は、分割ガイド部材６１の前記アーム部３０Ｂを上下から挟着するための挟着部材９０Ａ，９０Ｂを有し、これらの挟着部材９０Ａ，９０Ｂをビス等の結合具９１で結合することにより、戸当り手段９０は、分割ガイド部材６１の戸尻側の端部に取り付けられている。また、戸当り手段９０は、扉体１に２個設けられている前記ローラ３２のうち、戸尻側のローラ３２Ｂが取り付けられているブラケット３３Ｂが当たるストップ部材９２を有し、ブラケット３３Ｂがゴム製のこのストップ部材９２に当たることにより、扉体１は全開位置に達する。また、戸当り手段９０は板ばね製の係止部材９３を有し、この係止部材９３には、戸先側の端部のＶ字部９３Ａと、このＶ字部９３Ａに連続して戸尻側に形成された下向き開口凹部９３Ｂとが設けられている。
【００８９】
上記ブラケット３３Ｂには、扉体１が全開位置に達する直前にＶ字部９３Ａに当接してこのＶ字部９３Ａを弾性的に上向きに変形移動させるとともに、扉体１が全開位置に達したときには凹部９３Ｂに入り込むローラ９４が取り付けられており、このローラ９４が凹部９３Ｂに入り込むと、Ｖ字部９３Ａは復元弾性力で下向きに変形移動するため、ローラ９４は係止部材９３で係止され、これにより、扉体１は全開位置に停止する。そして、図１に示されている把持部３６で扉体１を閉じ移動させると、ローラ９４はＶ字部９３Ａを弾性的に上向きに変形移動させて凹部９３Ｂから脱出するため、扉体１は前述した自動閉鎖装置３４によって全閉位置まで自動移動する。
【００９０】
図１１及び図１２で示されているように、分割ガイド部材６１の戸尻側の端部下面には、分割ガイド部材６１の長手方向のうちの戸尻側へ延長突出した延長部材９５がビス等の結合具９６で結合されている。この延長部材９５は、図１３に示されているとおり、結合具９６で分割ガイド部材６１の前記アーム部３０Ｂに結合されたウェブ部９５Ａと、このウェブ部９５Ａの幅方向（扉体１の厚さ方向）両端から下向きに延びるフランジ部９５Ｂ，９５Ｃとからなる断面チャンネル状となっている。
【００９１】
また、前述したように、分割ガイド部材６１の戸尻側の端面を当接させることによってガイドレール３０の長手方向における分割ガイド部材６１の位置出しを行うためのエンド部材７６は、図１２で示されているように、分割ガイド部材６１の戸尻側の端面が当接する突出部７６Ａと、ビス等の結合具９７で前記戸尻側の竪枠部材１２に結合されたベース部７６Ｂとからなるアングル材で形成されている。延長部材９５の先端部９５Ｄは、図１０及び図１３で示されているとおり、エンド部材７６のベース部７６Ｂと戸尻側の竪枠部材１２とに形成された孔９８に挿入支持されている。
【００９２】
このため、この実施形態によると、分割ガイド部材６１の重量と、この分割ガイド部材６１を介して作用する扉体１の重量とを、延長部材９５を介してエンド部材７６のベース部７６Ｂと戸尻側の竪枠部材１２とで有効に受けることができるようになり、この実施形態では、延長部材９５の先端部９５Ｄを挿入支持する孔９８が形成されているこれらのエンド部材７６と戸尻側の竪枠部材１２とが、分割ガイド部材６１の戸尻側の端部を上向きに支持するための支持部材となっている。
【００９３】
また、この実施形態では、戸尻側の竪枠部材１２のうち、エンド部材７６のベース部７６Ｂが重ね合わされ、この重ね合わせによって強度が大きくなっている部分に孔９８が形成されているため、支持することができる分割ガイド部材６１の重量と扉体１の重量とを大きくすることができる。
【００９４】
さらに、この実施形態では、図１０に示されているように、延長部材９５の先端部９５Ｄの下端部は、戸先側へ下り傾斜した傾斜部９５Ｅとなっている。このため、前記係脱手段７０の係止部材７２を係止孔８１の大孔部８１Ａの側から小孔部８１Ｂの側へ移行させるとともに、延長部材９５の先端部９５Ｄを孔９８に挿入させるために、分割ガイド部材６１を戸尻側へ移動させる作業を行った際、傾斜部９５Ｅの案内作用によって延長部材９５の先端部９５Ｄを孔９８に円滑に挿入することができる。
【００９５】
なお、孔９８の上下寸法を延長部材９５の上下寸法よりも若干小さくしておき、孔９８に延長部材９５を叩き込むようにして挿入する構造としておくことにより、係止部材７２を係止孔７１に上から挿入係止させる構造となっていても、分割ガイド部材６１が上下にがたつくことを有効に抑えることができる。
【００９６】
また、この実施形態では、図１２で示されているように、延長部材９５の２個の前記フランジ部９５Ｂ、９５Ｃのうち、図１０の戸当り手段９０が取り付けられる側のフランジ部９５Ｂは、延長部材９５の全長に渡って設けられておらず、戸当り手段９０が配置される戸先側の部分が切除されている。これにより、戸当り手段９０と延長部材９５のフランジ部９５Ｂとが干渉することが防止されている。
【００９７】
図１４は、別実施形態に係る係脱手段１００を示す正面図であり、図１５は、図１４のＳ１５−Ｓ１５線断面図である。なお、この実施形態における戸袋３側の分割ガイド部材１１１は、図４で説明した出入口２の分割ガイド部材６０と同じく、基端部３０Ａとアーム部３０Ｂとローラ載置部３０Ｃとからなり、図５で説明した前記実施形態の分割ガイド部材６１の取付部３０Ｅに相当する部分は切除されている。また、この実施形態において、分割ガイド部材１１１の戸尻側の端部を上向きに支持するための構造は、図１０〜図１３の実施形態と同じになっている。
【００９８】
この実施形態の係脱手段１００は、前記取付部材３８に形成された係止孔１０１と、分割ガイド部材１１１の基端部３０Ａにビス等の結合具１０３に結合され、係止孔１０１に挿入係止される係止部材１０２とからなり、これらの係止孔１０１と係止部材１０２は、ガイドレール３０の長手方向である水平方向又は略水平方向に長い細長形状となっている。また、板材の折り曲げ品である係止部材１０２は、結合具１０３で分割ガイド部材１１１の基端部３０Ａに結合されたベース部分１０２Ａと、このベース部分１０２Ａの戸尻側の端部に設けられた第１部分１０２Ｂと、さらにこの第１部分１０２Ｂの戸尻側の端部に設けられた第２部分１０２Ｃとからなり、第１部分１０２Ｂは、本実施形態では、戸尻側へ延びるにしたがって分割ガイド部材１１１から離れる方向へ傾斜した傾斜部となっている。
【００９９】
係脱手段１００によって分割ガイド部材１１１を取付部材３８に係脱可能に取り付けるときには、先ず、係止部材１０２の全体を係止孔１０１に挿入し、次いで、分割ガイド部材１１１を戸尻側へ移動させ、これにより、第２部分１０２Ｃを、図１５で示されているように、取付部材３８における分割ガイド部材１１１の側の面とは反対側の面（すなわち、取付部材３８における分割ガイド部材１１１の側の面を表面とした場合には、取付部材３８における裏面）と対面させ、この第２部分１０２Ｃと、分割ガイド部材１１１の基端部３０Ａの背面とにより、取付部材３８を挟着させる。
【０１００】
このようにして係脱手段１００で取付部材３８に取り付けた分割ガイド部材１１１を取付部材３８から取り外すときには、以上とは逆の作業を行えばよい。
【０１０１】
なお、この実施形態では、係止部材１０２の第２部分１０２Ｃと、分割ガイド部材１１１の基端部３０Ａの背面とにより、取付部材３８が挟着されるが、この挟着が、第２部分１０２Ｃが取付部材３８の厚さ方向外側へ弾性的に開き変形することによって行われるようにしておくことにより、取付部材３８の厚さに誤差があっても、また、各種の施工現場に配置された上枠部材１０に厚さが異なる取付部材３８が用いられていても、これらに有効に対処できるようになる。
【０１０２】
また、これまで説明した各実施形態において、戸袋３側の分割ガイド部材６１，１１１は、出入口２側の分割ガイド部材６０とエンド部材７６とによってガイドレール３０の長さ方向に挟着された状態となり、これにより、これらの分割ガイド部材６０，１１１はガイドレール３０の長さ方向に位置決めされるため、分割ガイド部材６０，１１１の戸先側の端部が上下方向にがたつくことが前記扉体１の重量等によって防止できる場合には、分割ガイド部材６０，１１１の戸先側の端部を取付部材３８に結合している図３の結合具７５を省略してもよい。
【０１０３】
また、図１４及び図１５で示した係脱手段１００は、図６及び図７で示した支持部材７７や、図８及び図９で示した支持部材８７を採用した場合にも適用することができる。
【０１０４】
そして、図５〜図７、図８及び図９、図１４及び図１５で示した係脱手段と、図６及び図７、図８及び図９、図１０〜図１４で示した支持部材とは、適宜に組み合わせて実施することができる。
【０１０５】
また、図８及び図９で説明した実施形態のように係脱手段の係止孔を大孔部と小孔部とからなるものとする場合には、この係止孔の形状は図８及び図９で示された形状に限定されず、例えば、係止孔に挿入係止される係止部材をピン形状のものとする場合には、係止孔を、それぞれが円形又は略円形となっている大孔部と小孔部とがガイドレール３０の長手方向に接続されている横向きのダルマ形状又は略ダルマ形状のものとしてもよい。
【産業上の利用可能性】
【０１０６】
本発明は、例えば、上吊り式引戸装置の扉体の開閉移動を案内するためのガイド体を取付部材に取り付けるために利用することができる。
【図面の簡単な説明】
【０１０７】
【図１】本発明の一実施形態に係る引戸装置の全体を示す正面図である。
【図２】図１の上枠部材の内部に収納配置されている扉体移動機構を示す全体正面図であって、図１で示されている点検カバーを取り外し、かつ戸袋と壁を除外して示した図である。
【図３】図２の扉体移動機構の要部拡大図である。
【図４】図１のＳ４−Ｓ４線断面図である。
【図５】図１のＳ５−Ｓ５線断面図である。
【図６】図２で２個示されている係脱手段のうちの戸尻側の係脱手段を示す正面図である。
【図７】図６のＳ７−Ｓ７線断面図である。
【図８】別実施形態の係止孔を示す図６と同様の図である。
【図９】図８のＳ９−Ｓ９線断面図である。
【図１０】分割ガイド部材の戸尻側の端部を上向きに支持するための支持部材についての別実施形態を示す要部正面図である。
【図１１】図１０で示されている扉体と全開側の戸当り手段とを取り除いて示す図１０の実施形態の図である。
【図１２】図１１のＳ１２−Ｓ１２線断面図である。
【図１３】図１１のＳ１３−Ｓ１３線断面図である。
【図１４】別実施形態に係る係脱手段を示す図１１と同様の図である。
【図１５】図１４のＳ１５−Ｓ１５線断面図である。
【符号の説明】
【０１０８】
１  扉体
３  戸袋
５  壁
１０  上枠部材
１２  支持部材でもある戸尻側の竪枠部材
３０  ガイド体であるガイドレール
３８  取付部材
６０，６１，１１１  分割ガイド部材
６１Ａ  突出部
７０，１００  係脱手段
７１，８１，１０１  係止孔
７２，１０２  係止部材
７２Ｂ，１０２Ｂ  第１部分
７２Ｃ，１０２Ｃ  第２部分
７２Ｄ  傾斜部
７５  着脱可能は結合手段である結合具
７６  支持部材でもあるエンド部材
７７，８７  支持部材
８１Ａ  大孔部
８１Ｂ  小孔部
【図１】
2008133684.tif 000003
【図２】
2008133684.tif 000004
【図３】
2008133684.tif 000005
【図４】
2008133684.tif 000006
【図５】
2008133684.tif 000007
【図６】
2008133684.tif 000008
【図７】
2008133684.tif 000009
【図８】
2008133684.tif 000010
【図９】
2008133684.tif 000011
【図１０】
2008133684.tif 000012
【図１１】
2008133684.tif 000013
【図１２】
2008133684.tif 000014
【図１３】
2008133684.tif 000015
【図１４】
2008133684.tif 000016
【図１５】
2008133684.tif 000017